(57)【特許請求の範囲】
【請求項１】
変調がいくつかの直交振幅変調サブキャリアを含み、かつ伝搬チャネルのベクトルＨ［ｎ，ｋ］が知られているかまたは受信信号が基準データを送信するパイロットシンボルを少なくとも含む送信システムにおいて信号を復調する方法であって、
○  前記方法が、同期化および復調の後で、様々な受信信号ｘ［ｎ，ｋ］に重み付けをする再合成ステップの支援で、前記変調におけるｎ番目のシンボルのｋ番目のサブキャリアで放射されるシンボルａ［ｎ，ｋ］を推定する少なくとも１つのステップを含むことと、
○  前記再合成ステップが、次の関係式で定義される再合成ベクトルを用いることと、
【数１】
0004605797.tif 000039
○  相関行列および相関関係ベクトルの推定が次の式を用いて行なわれ、
【数２】
0004605797.tif 000040
式中、
−  インデックスｌが、前記相関行列の推定を改善するために、考慮されるシンボルの前後で前記変調のシンボルを用いることに相当し、
−  Ｋｌが、連続パイロットおよび／または分散パイロットのインデックスのセットであることと、
を特徴とする方法。
【請求項２】
前記方法が、前記信号のグローバル帯域をｍサブバンドに分割するステップを含むことと、前記再合成ベクトルが各サブバンドに対して決定されることとを特徴とする請求項１に記載の方法。
【請求項３】
次の式を用いて、前記相関行列を推定し、
【数３】
0004605797.tif 000041
式中、Ｋｌ，ｍが、サブバンドｍの前記連続パイロットおよび／または前記分散パイロットのインデックスのセットを表わすことを特徴とする、請求項１に記載の方法。
【請求項４】
変調がいくつかの直交振幅変調サブキャリアを含み、かつ受信信号が基準データを送信するパイロットシンボルを少なくとも含む送信システムにおいて信号を復調する方法であって、
○  前記方法が、伝搬チャネルのベクトルＨ［ｎ，ｋ］を推定するステップを含むことと、
○  前記方法が、同期化および復調の後で、様々な受信信号ｘ［ｎ，ｋ］に重み付けをする再合成ステップの支援で、前記変調におけるｎ番目のシンボルのｋ番目のサブキャリアで放射されるシンボルａ［ｎ，ｋ］を推定する少なくとも１つのステップを含むことと、
○  前記再合成ステップが、次の関係式で定義される再合成ベクトルを用いることと、
【数４】
0004605797.tif 000042
○  相関行列および相関関係ベクトルの推定が次の式を用いて行なわれ、
【数５】
0004605797.tif 000043
式中、
−  インデックスｌが、前記相関行列の推定を改善するために、考慮されるシンボルの前後で前記変調のシンボルを用いることに相当し、
−  Ｋｌが、連続パイロットおよび／または分散パイロットのインデックスのセットであることと、
を特徴とする方法。
【請求項５】
前記方法が、前記信号のグローバル帯域をｍサブバンドに分割するステップを含むことと、前記再合成ベクトルが各サブバンドに対して決定されることとを特徴とする請求項４に記載の方法。
【請求項６】
次の式を用いて、前記相関行列を推定し、
【数６】
0004605797.tif 000044
式中、Ｋｌ，ｍが、サブバンドｍの前記連続パイロットおよび／または前記分散パイロットのインデックスのセットを表わすことを特徴とする、請求項４に記載の方法。
【請求項７】
前記推定された相関行列がガウス白色雑音および干渉信号Ｒｚｚ［ｎ，ｋ］の相関行列であることを特徴とする、請求項４に記載の方法。
【請求項８】
前記変調がＯＦＤＭタイプの変調であることを特徴とする、請求項１〜７のいずれか一項に記載の方法。
【請求項９】
前記信号がＤＶＢ−Ｔ信号であることと、ＴＰＳパイロットシンボルが推定されることとを特徴とする、請求項１〜８のいずれか一項に記載の方法。
【請求項１０】
前記方法が、少なくとも次のステップ、すなわち、
＊  差分法で復調するステップ：
【数７】
0004605797.tif 000045
と、
＊  周波数ダイバーシチを用いるステップ：
【数８】
0004605797.tif 000046
と、
＊  判定基準を適用してＴＰＳビットを得るステップ：
【数９】
0004605797.tif 000047
を含むことを特徴とする、請求項９に記載の方法。
【請求項１１】
前記方法が、少なくとも次のステップ、すなわち、
＊  周波数ダイバーシチを用いるステップ：
【数１０】
0004605797.tif 000048
と、
＊  判定基準を適用するステップ：
【数１１】
0004605797.tif 000049
と、
＊  差分法で復調してＴＰＳビットを得るステップ：
【数１２】
0004605797.tif 000050
と、
を含むことを特徴とする、請求項９に記載の方法。
【発明の詳細な説明】
【技術分野】
【０００１】
本発明は、強い同一チャネル干渉信号がある状態で、すなわち−２０ｄＢまでのＣ／Ｉ比率（信号対干渉比）に対して、ＯＦＤＭ（直交周波数分割多重）タイプの信号を復調する方法に関する。
【０００２】
本発明は、特に、地上デジタルテレビ（ＴＤＴ）またはＤＶＢ−Ｔ（標準規格ＥＴＳＩ  ＥＮ  ３００  ７４４（欧州テレビ標準規格）に説明されているデジタルビデオ放送地上波）に適用される。
【０００３】
本発明は、より一般的な方法で、たとえばＯＦＤＭ変調など、直交振幅変調サブキャリアを用いる任意の送信システムで用いてもよい。
【背景技術】
【０００４】
いくつかの欧州諸国は、近い将来におけるＤＶＢ−Ｔ（デジタルビデオ放送地上波）ネットワークの運用開始を、現在計画している。国によっては既にその運用を開始し、その商業的な利用を始めた。来たるべき年におけるこれらのネットワークの予測可能な高密度化によって、ＤＶＢ−Ｔの受信を阻害する干渉問題が生じるように思われる。このような理由により、放送局は、測定地点において所定の周波数で信号を発生している全てのＤＶＢ−Ｔ送信機を検出し識別することを可能にする有効なツールを、所有することが必要だということがわかる。
【０００５】
特許ＦＲ  ２  ７１５  ４８８号明細書およびＦＲ  ２  ７６６  ３２０号明細書は、ＧＳＭタイプの通信における同一チャネル干渉を分析し識別するためのツールを説明している。教示された方法によって、強い同一チャネル干渉信号がある状態でＧＳＭ信号を復調することが可能になる。このツールにおいて実施される処理には、空間フィルタリングの実行を可能にするアンテナ処理技術が必要となる。
【０００６】
一定のＤＶＢ−Ｔ受信機はまた、移動受信の性能を改善しかつフェージングの影響を抑制するために、空間ダイバーシチの利用を可能にするアンテナ処理を用いる。これらの受信機は、一般に、「選択合成法」（ＳＣ）または「最大比合成法」（ＭＲＣ）技術に基づいている。
【０００７】
最後に、空間または時空間フィルタによって同一チャネル干渉信号の排除が可能になることが、さらに、当業者には周知である。たとえば、
−  送信信号に含まれる基準シーケンスに整合された空間フィルタは、
【数１】
0004605797.tif 000002
であり、
−  二乗誤差を最小化（最小平均二乗誤差（Ｍｉｎｉｍｕｍ  Ｍｅａｎ  Ｓｑｕａｒｅ  Ｅｒｒｏｒ）を意味するＭＭＳＥ）することによって得られる空間フィルタは、
【数２】
0004605797.tif 000003
であり、
−  時空間整合フィルタ（時空間整合フィルタ（Ｓｐａｃｅ−Ｔｉｍｅ  Ｍａｔｃｈｅｄ  Ｆｉｌｔｅｒ）を意味するＳＴＭＦ）は、
【数３】
0004605797.tif 000004
である。
式中、ｎは、ＯＦＤＭシンボル（時間次元）のインデックスであり、Ｒｘｘ［ｎ］は、空間的にフィルタリングされる信号の相関行列に相当し、Ｈ［ｆ］は、伝搬チャネルを表わすベクトルであり、Ｒｚｚ［ｆ］は、受信雑音および受信信号における干渉の寄与（すなわち、通常の信号ではないもの全ての寄与）の相関行列に相当する。
【０００８】
このような技術が有効であることは判明しているが、しかしながら一定の限界がある。
【０００９】
前述の特許において開発された技術は、ＧＳＭタイプの信号に向けられている。この技術は、特性がＧＳＭ信号のそれと非常に異なるデジタルテレビ信号（ＤＶＢ−Ｔ信号：６ＭＨｚから８ＭＨｚまでの帯域幅およびＯＦＤＭ変調、ＧＳＭ信号：３００ｋＨｚの帯域幅およびＧＭＳＫ変調）に適用される場合には、同じ性能を提供しない。
【００１０】
一定のＤＶＢ−Ｔ受信機で用いられるアンテナ処理は、移動受信の性能を改善するために、フェージングの影響を抑制するように整合されている。この処理は、強い同一チャネル干渉信号がある状態では、もはや有効ではない。
【発明の開示】
【発明が解決しようとする課題】
【００１１】
本発明の意図は、特に、マルチセンサ受信機およびしかるべきアンテナ処理技術を用いることによって、強い同一チャネル干渉信号がある状態でＤＶＢ−Ｔ信号を復調できるようにすることである。
【課題を解決するための手段】
【００１２】
本発明は、変調がいくつかの直交振幅変調サブキャリアを含み、かつ伝搬チャネルのベクトルＨ［ｎ，ｋ］が知られているかまたは受信信号が基準データを送信するパイロットシンボルを少なくとも含む送信システムにおいて信号を復調する方法に関する。本方法は、同期化および復調の後で、様々な受信信号ｘ［ｎ，ｋ］に重み付けをする再合成ステップの支援で、変調におけるｎ番目のシンボルのｋ番目のサブキャリアで放射されるシンボルａ［ｎ，ｋ］を推定する少なくとも１ステップを含むことを特徴とする。
【００１３】
再合成ステップは、たとえば、次の関係式で定義される再合成ベクトルを用い、
【数４】
0004605797.tif 000005
相関行列および相関関係ベクトルの推定は次の式を用いて行なわれ、
【数５】
0004605797.tif 000006
式中、
−  インデックスｌは、相関行列の推定を改善するために、考慮されるシンボルの前後で変調のシンボルを用いることであり、
−  Ｋｌは、連続パイロットおよび／または分散パイロットのインデックスのセットである。
【００１４】
本方法は、信号のグローバル帯域をｍサブバンドに分割するステップ、および再合成ベクトルが各サブバンドに対して決定されるステップを含んでもよい。
【００１５】
次の式を用いて、相関行列を推定してもよく、
【数６】
0004605797.tif 000007
式中、Ｋｌ，ｍは、サブバンドｍの連続パイロットおよび／または分散パイロットのインデックスのセットを表わす。
【００１６】
本方法は、変調がいくつかの直交振幅変調サブキャリアを含み、かつ受信信号が基準データを送信するパイロットシンボルを少なくとも含む送信システムにおいて信号を復調する方法に関する。本方法は、
○  本方法が、伝搬チャネルのベクトルＨ［ｎ，ｋ］を推定するステップを含むことと、
○  本方法が、同期化および復調の後で、様々な受信信号ｘ［ｎ，ｋ］に重み付けをする再合成ステップの支援で、変調におけるｎ番目のシンボルのｋ番目のサブキャリアで放射されるシンボルａ［ｎ，ｋ］を推定する少なくとも１つのステップを含むことと、
○  再合成ステップが、次の関係式で定義される再合成ベクトルを用いることと、
【数７】
0004605797.tif 000008
○  相関行列および相関関係ベクトルの推定が次の式を用いて行なわれ、
【数８】
0004605797.tif 000009
式中、
−  インデックスｌが、相関行列の推定を改善するために、考慮されるシンボルの前後で変調のシンボルを用いることに相当し、
−  Ｋｌが、連続パイロットおよび／または分散パイロットのインデックスのセットであることを特徴とする。
【００１７】
本方法は、信号のグローバル帯域をｍサブバンドに分割するステップ、および再合成ベクトルが各サブバンドに対して決定されるステップを含んでもよい。
【００１８】
次の式を用いて、相関行列を推定し、
【数９】
0004605797.tif 000010
式中、Ｋｌ，ｍは、サブバンドｍの連続パイロットおよび／または分散パイロットのインデックスのセットを表わす。
【００１９】
推定された相関行列は、たとえば、ガウス白色雑音および干渉信号Ｒｚｚ［ｎ，ｋ］の相関行列である。
【００２０】
変調は、ＯＦＤＭタイプの変調であってもよい。
【００２１】
信号はＤＶＢ−Ｔ信号であり、ＴＰＳパイロットシンボルが推定される。
【００２２】
本方法は、少なくとも次のステップ、すなわち、
＊  差分法で復調するステップ：
【数１０】
0004605797.tif 000011
と、
＊  周波数ダイバーシチを用いるステップ：
【数１１】
0004605797.tif 000012
と、
＊  判定基準を適用してＴＰＳビットを得るステップ：
【数１２】
0004605797.tif 000013
と、
を含んでもよい。
【００２３】
本方法は、少なくとも次のステップ、すなわち、
＊  周波数ダイバーシチを用いるステップ：
【数１３】
0004605797.tif 000014
と、
＊  判定基準を適用するステップ：
【数１４】
0004605797.tif 000015
と、
＊  差分法で復調してＴＰＳビットを得るステップ：
【数１５】
0004605797.tif 000016
と、
を含んでもよい。
【００２４】
有利なことに、本発明による方法によって、ＤＶＢ−Ｔ信号に対する例示的な適用において次のことが可能になる。すなわち、
・  強い同一チャネル干渉信号がある状態におけるＤＶＢ−Ｔ信号と、ＤＶＢ−Ｔ信号に含まれるパイロットとを復調することと、
・  ＴＰＳビットからフィールドＣｅｌｌ＿ｉｄを抽出することによって、測定地点において所定の周波数で存在するＤＶＢ−Ｔ信号を識別することと、
・  ＤＶＢ−Ｔに対する干渉信号を分析し識別すること。したがって、測定地点において所定の周波数で信号を発生しているＤＶＢ−Ｔ送信機を検出し識別することを可能にする有効なツールを提供することとである。
【００２５】
本発明の他の特徴および利点は、本発明の範囲を決して限定するものではない実例によって示される例示的な実施形態の以下の説明および添付の図面から、より明白になるであろう。
【発明を実施するための最良の形態】
【００２６】
本発明による方法をよりよく理解するために、以下の例が実例として与えられるが、この実例は、ＤＶＢ−Ｔ信号におけるＴＰＳパイロットの復調に関して、およびこれらのパイロットに含まれているフィールドＣｅｌｌ＿ｉｄの抽出に関して、本発明の範囲を決して限定するものではない。このようにして、本方法は、測定地点において所定の周波数で信号を発生している全てのＤＶＢ−Ｔ送信機を検出し識別する。
【００２７】
本発明はまた、周知のパイロットが含まれ、かつ／または伝搬チャネルを推定できるという条件で、任意のＯＦＤＭ信号に適用することができる。
【００２８】
本発明による方法のステップを詳述する前に、標準規格ＥＴＳＩ  ＥＮ  ３００  ７４４に詳述されているＤＶＢ−Ｔ信号に関するいくつかの特徴を振り返る。
【００２９】
ＤＶＢ−Ｔ信号はＯＦＤＭ信号である。この信号を構成するキャリアの数は、６８１７（８Ｋモード、８１９２ポイントにおけるＦＦＴの支援によって得られる）または１７０５（２Ｋモード、２０４８ポイントにおけるＦＦＴの支援によって得られる）であってもよい。
【００３０】
様々なサブキャリアが、データを搬送する役目をするかまたはパイロットとして用いられる。
【００３１】
パイロットのタイプは、数が３つある。
・  基準データを送信する連続パイロットおよび分散パイロット。これらの基準データは、これらのパイロットの位置と同様に、受信機に知られている。これらのパイロットは、受信機がそれ自身を同期させかつチャネルを推定することができるようにする役割を果たす。
・  ＴＰＳパイロットと呼ばれるシグナリングパイロット。所定のＯＦＤＭシンボル期間に、全てのＴＰＳパイロットは、差分符号化された同じ論理ビットを送信する。シグナリングデータは、特にＣｅｌｌ＿ｉｄと呼ばれるフィールドを含む６８ビットのブロックに組織され、信号のオリジナルセルの識別を可能にする。
【００３２】
図１は、マルチセンサＤＶＢ−Ｔ受信機内で実行される、本発明による方法のステップの例を概略的に示す。この受信機には、たとえば、少なくとも２つの受信アンテナ、および図１に載せられたステップ２、３、４、５、６を処理するのに適した１つのプロセッサが含まれる。
【００３３】
ステップ１
信号はアンテナのネットワークで受信される。
【００３４】
ステップ２、３および４
本方法は、当業者に周知の手順によって、様々なアンテナで受信された信号をデジタル化する（ステップ２）。このデジタル化ステップが完了すると、信号は、考慮されるＤＶＢ−Ｔ信号と時間および周波数において同期化される（ステップ３）。その後、各アンテナのＯＦＤＭシンボルにおける有効部分にたとえばＦＦＴ（高速フーリエ変換）を適用することによって、同期化信号は復調される（ステップ４）。
【００３５】
ステップ５または５ａ
ステップ２、３および４が完了すると、受信信号（考慮されるＤＶＢ−Ｔ信号と同期化され、ＯＦＤＭ復調されたデジタル化信号）は、次のように書いてもよい。
ｘ［ｎ，ｋ］＝Ｈ［ｎ，ｋ］．ａ［ｎ，ｋ］  ＋  ｚ［ｎ，ｋ］  （１）
式中、
−  ｎは、ＯＦＤＭ信号のインデックス（時間次元）を表わし、
−  ｋは、サブキャリアのインデックス（周波数次元）を表わし、
−  ｘ［ｎ，ｋ］＝｛ｘ１［ｎ，ｋ］，ｘ２［ｎ，ｋ］．．．｝は、同期化およびＯＦＤＭ復調後の、各アンテナで受信された信号から構成されたベクトルであり、
−  Ｈ［ｎ，ｋ］＝｛Ｈ１［ｎ，ｋ］，Ｈ２［ｎ，ｋ］．．．｝は伝搬チャネルを表わすベクトルであり、
−  ａ［ｎ，ｋ］は、ｎ番目のＯＦＤＭシンボルのｋ番目のサブキャリアで放射されたシンボルであり、
−  ｚ［ｎ，ｋ］は、付加白色ガウス雑音および同一チャネル干渉信号の寄与を表わすベクトルである。
【００３６】
本発明による方法によって、強い同一チャネル干渉信号がある状態であっても、たとえば−２０ｄＢまでのＣ／Ｉ比率（信号対干渉比）に対して、シンボルａ［ｎ，ｋ］の信頼できる推定
【数１６】
0004605797.tif 000017
を得ることが可能（すなわち、送信されたデータを復元することが可能）になる。
【００３７】
連続および分散パイロットにより明確に関心があるときには、所定のパイロット用に同じデータ項目が各ＯＦＤＭシンボル（実際は、分散パイロット用には４ＯＦＤＭシンボルごと）で送信され、したがって、ａ［ｎ，ｋ］＝ａ［ｋ］（送信されるデータ項目は、パイロットのインデックスのみに依存し、それは受信機に知られている）であることが周知である。
【００３８】
ＴＰＳシグナリングパイロットにより明確に関心があるときには、ＯＦＤＭシンボル期間に各ＴＰＳパイロットが、差分符号化された同じ論理データ項目を送信することが周知である。この場合、標準規格ＥＴＳＩ  ＥＮ  ３００  ７４４で説明され、かつ受信機に知られているように、ａ［ｎ，ｋ］はｗｋ．ａ［ｎ］と書いてもよく、またｗｋは、擬似乱数シーケンスである。
【００３９】
ステップ５または５ａには、特に、ａ［ｎ，ｋ］を推定する機能がある。この推定は、同期化およびＯＦＤＭ復調の後の、受信機の様々なアンテナのレベルで受信された信号に重み付けする再合成の支援で実行される。この推定は、次の式で表わされる。
【数１７】
0004605797.tif 000018
ここでｇ［ｎ，ｋ］は再合成ベクトルであり、Ｈは、共役転置演算子である。この再合成動作によって、空間または時空間フィルタリングが実行され、また再合成ベクトルの値、すなわち様々な重み付け係数を適切に選択することが望ましい。再合成ベクトルが周波数に依存しない（ｇ［ｎ，ｋ］＝ｇ［ｎ］）ときには、信号のフィルタリングは空間フィルタリングである。このベクトルが周波数に依存するときには、信号のフィルタリングは時空間フィルタリングであり、受信帯域の各周波数における空間フィルタリングからなる。
【００４０】
使用すべき再合成ベクトルの計算を可能にするいくつかの例示的な構造を、全体として非限定的な実例によって以下に説明する。
【００４１】
ステップ５
伝搬チャネルを推定しておくことを必要としない再合成ベクトル（ＭＭＳＥＣ１）
信号に含まれる基準シーケンスｄ［ｎ］に整合された空間フィルタ、すなわちその出力と基準シーケンスとの間の二乗誤差を最小化する空間フィルタは、
【数１８】
0004605797.tif 000019
であることが周知であり、式中、
−  Ｒｘｘ［ｎ］は、空間的にフィルタリングされる信号の相関行列であり、
−  ｒｘｄ［ｎ］は、空間的にフィルタリングされる信号と基準シーケンスとの間との相関関係のベクトルである。
【００４２】
このような再合成ベクトルを使用するには特に、
−  基準シーケンスの存在と、
−  空間的にフィルタリングされる信号の相関行列の推定と同様に、フィルタリングされる信号および基準シーケンス間の相関関係のベクトルの推定と、
を必要とする。
【００４３】
本発明による方法は、基準シーケンスが、連続パイロットおよび／または分散パイロットで送信されるシンボルａ［ｎ，ｋ］からなることを特に考慮する。考慮される信号ベクトルは、各周波数で得られる信号ベクトルである。
【００４４】
次に、相関行列の推定および相関関係ベクトルの推定は、それぞれ次の式を用いて行なわれる。
【数１９】
0004605797.tif 000020
式中、
−  インデックスｌは、相関行列の推定を改善するために、考慮されるシンボルの前（前はＬ１シンボル）および後（後はＬ２シンボル）にＯＦＤＭシンボルを用いることを可能にするインデックスであり、
−  Ｋｌは、連続パイロットおよび／または分散パイロットのインデックスのセットである。
【００４５】
相関行列Ｒｘ［ｎ］の推定を改善することを可能にする変形実施形態は、例えば連続および／または分散パイロットに渡ってだけでなく、全てのサブキャリアに渡って合計を行うことにある。この改善は、以下の式によってＲｘ［ｎ］を推定するために適用される。
【数２０】
0004605797.tif 000021
式中、Ｋは全てのサブキャリアのセットである。
【００４６】
どの式を用いてＲｘｘ［ｎ］を推定するかにかかわらず、得られた再合成ベクトルは、考慮されるＯＦＤＭシンボルｎにもっぱら依存するのであって、考慮されるサブキャリアに依存するのではない。
【００４７】
したがって、
【数２１】
0004605797.tif 000022
が得られる。
【００４８】
この構造によって実行されるフィルタリングは空間フィルタリングであり、その性能は、雑音（すなわち受信雑音＋干渉信号）が時間的に白色ではない（干渉信号が伝搬マルチパスを含む）ときには制限される。性能を改善する１つの方法は、信号の時空間フィルタリングを実行することにある。したがって、干渉信号の排除を改善するために、本方法には、たとえば、信号のグローバル帯域をサブバンドに分割することを可能にするステップが含まれる。各サブバンドは、チャネルのコヒーレンス帯域より小さい幅を有するのが好ましい。次に、これらサブバンドのそれぞれに対して、本方法は、上記に示したように、すなわち式（４）および（５）によりＲｘｘ［ｎ］およびｒｘａ［ｎ］を推定することによって再合成ベクトルを計算するが、この場合には、Ｋｌは、考慮されるサブバンドに含まれる連続パイロットおよび／または分散パイロットのインデックスを表わす。サブバンドを表わすインデックスｍの導入によって、式（３）、（４）および（５）は次のようになる。
【数２２】
0004605797.tif 000023
式中、Ｋｌ，ｍは、サブバンドｍの連続パイロットおよび／または分散パイロットにおけるインデックスのセットを表わす。
【００４９】
前述のように、相関行列Ｒｘｘは、次の式により、全てのサブキャリアを用いて推定してもよい。
【数２３】
0004605797.tif 000024
式中、Ｋｍは、サブバンドｍのインデックスおよびサブキャリアのセットである。
【００５０】
かくして、考慮されるサブバンドごとに再合成ベクトルが得られ、たとえばこの再合成ベクトルを用いて、サブバンドに含まれる各サブキャリアに対して
【数２４】
0004605797.tif 000025
を推定する。サブバンドへのこの分割は、純粋な空間フィルタリングを時空間フィルタリングに変換することに相当し、それによって、本方法の有効性を極めて著しく改善する。伝搬チャネルは、この実施的な変形において不変であると考えられる。
【００５１】
ステップ５ａ
伝搬チャネルを推定しておくことを必要とする再合成ベクトル（ＭＭＳＥＣ２）
この変形実施形態において、本方法は、たとえば、二乗誤差を最小化（ＭＭＳＥ）することによって得られる空間フィルタを用いることにあるが、この空間フィルタは、
【数２５】
0004605797.tif 000026
（７）である。
【００５２】
例示的な適用において用いられるＯＦＤＭ信号に対して、関係式（７）は、
【数２６】
0004605797.tif 000027
になる。
【００５３】
本方法は、チャネルベクトルＨ［ｎ，ｋ］が、当業者に周知の手順（たとえば、ピーター・ホッハー（Ｐｅｔｅｒ  Ｈｏｅｈｅｒ）著、論文「ＴＣＭ  ｏｎ  ｆｒｅｑｕｅｎｃｙ−ｓｅｌｅｃｔｉｖｅ  ｌａｎｄ−ｍｏｂｉｌｅ  ｆａｄｉｎｇ  ｃｈａｎｎｅｌｓ」、Ｐｒｏｃ．Ｔｉｒｒｅｎｉａ  ｉｎｔ．Ｗｏｒｋｓｈｏｐ  Ｄｉｇｉｔａｌ  Ｃｏｍｍｕｎ、イタリア、ティレニア、１９９１年９月、に説明されているように）に従って推定されたと仮定する。
【００５４】
本方法は、上記に示したように、すなわち次の２つの式のうちの１つによって相関行列Ｒｘｘ［ｎ，ｋ］を推定する。
【数２７】
0004605797.tif 000028
【００５５】
実際にはこれらの式において、相関行列はキャリアに依存しないと仮定され、それゆえに、Ｒｘｘ［ｎ，ｋ］をＲｘｘ［ｎ］に下げることになる。
【００５６】
前述のように、また、送信チャネルのコヒーレンス帯域の幅よりも小さく幅を選択するのが好ましいサブバンドに全帯域を分割してもよく、したがって、次の２つの式のうちの１つの支援で、これらのサブバンドそれぞれの相関行列を推定することが可能になる。
【数２８】
0004605797.tif 000029
【００５７】
したがって、本方法によって、ＯＦＤＭ信号のサブキャリアそれぞれの再合成ベクトルを計算して、サブキャリアのそれぞれで受信されるデータ項目ａ［ｎ，ｋ］を推定するようにすることが可能になる。チャネルは、サブバンドにおいて可変であってもよい。
【００５８】
時空間整合フィルタ（ＳＴＭＦ）
別の変形実施形態によれば、本方法は、ＯＦＤＭ信号に対して関係式
【数２９】
0004605797.tif 000030
で表現される整合された時空間フィルタを用いる。
【００５９】
この変形によれば、本方法には、ガウス白色雑音および干渉信号Ｒｚｚ［ｎ，ｋ］の相関行列を推定するステップが含まれる。
【００６０】
そうするために、本方法は、式
【数３０】
0004605797.tif 000031
によって連続および／または分散パイロットのインデックスに対する雑音の寄与を推定する。ここで次のことを振り返ってみる。すなわち、これらのパイロットに関してａ［ｎ，ｋ］が周知である（なぜなら、これらのパイロットにおけるａ［ｎ，ｋ］の値は、ＤＶＢ−Ｔ  ＥＴＳＩ  ＥＮ  ３００  ７４４標準規格によって固定されている）こと、およびチャネルは、当業者に周知の技術によって推定された（たとえば、ピーター・ホッハー（Ｐｅｔｅｒ  Ｈｏｈｅｒ）の論文「ＴＣＭ  ｏｎ  ｆｒｅｑｕｅｎｃｙ−ｓｅｌｅｃｔｉｖｅ  ｌａｎｄ−ｍｏｂｉｌｅ  ｆａｄｉｎｇ  ｃｈａｎｎｅｌｓ」、Ｐｒｏｃ．Ｔｉｒｒｅｎｉａ  ｉｎｔ．Ｗｏｒｋｓｈｏｐ  Ｄｉｇｉｔａｌ  Ｃｏｍｍｕｎ、イタリア、ティレニア、１９９１年９月、に言及することが可能である）ものと仮定していることである。
【００６１】
次に、本方法は、マトリックスＲｘｘ［ｎ，ｋ］のために前に示した手順に従い、ｘ［ｎ，ｋ］をｚ［ｎ，ｋ］と取り替えることによって、相関行列Ｒｚｚ［ｎ，ｋ］を推定する。
【００６２】
ステップ６：ＤＶＢ−Ｔ信号のＴＰＳビットの復調への本発明による方法の適用
上記で説明した変形実施形態によって、たとえば、強い同一チャネル干渉信号（考慮されるＤＶＢ−Ｔ信号より最高２０ｄＢまで強いか、またはさらに強い）がある状態であっても、ＤＶＢ−Ｔ信号のＴＰＳビットを復調することが可能になる。そうするためには、次のようにする。
・  前の技術によって、ＴＰＳパイロットのインデックスに対応するインデックスｋのための推定されたシンボル
【数３１】
0004605797.tif 000032
を復元することが可能になる。
・  所定のＯＦＤＭシンボル期間に、各ＴＰＳパイロットが差分変調された同じ論理ビットを搬送するにつれて、本方法は、次にこの周波数ダイバーシチを用いて差分復調を実行し、考慮されるＯＦＤＭシンボル期間に送信されたＴＰＳデータビットを得る。本発明による方法を実施するための様々な方法が可能である。たとえば、
・・  周波数ダイバーシチを用いる前に差分復調を実行する。この場合には、次のようなる。
【数３２】
0004605797.tif 000033
差分復調（１１）
【数３３】
0004605797.tif 000034
周波数ダイバーシチの使用（Ｔは、ＴＰＳパイロットのインデックスのセットである）。
【数３４】
0004605797.tif 000035
ＴＰＳを得るための判定（Ｒは、実部を示す）。（１３）
・・  または、周波数ダイバーシチを用いた後で差分復調を実行する。この場合には、次のようになる。
【数３５】
0004605797.tif 000036
周波数ダイバーシチの使用（差分変調の初期化は、受信機に知られているｗｋで割ることによって補償される）。（１４）
【数３６】
0004605797.tif 000037
判定（１５）
【数３７】
0004605797.tif 000038
ＴＰＳビットを得るための差分復調（１８）
【００６３】
ひとたびＴＰＳビットが抽出されると、本方法は、ＴＰＳブロックを構成する様々なフィールドを検索する。ＥＴＳＩ  ＥＮ  ３００  ７４４標準規格によって、ＴＰＳブロックの構造が実際に説明されているが、このＴＰＳブロックは、差分変調初期化ビットで始まり、１６ビットの同期ワードが続いて、情報ビット（モード、変調、ガードインターバルの値等）が続く。したがって、１６ビット同期ワードに相当する１６連続ビットが見つかるまで復調されたＴＰＳビットを走査し、次に、続くビットの意味を確認するために標準規格を参照することで十分である。同一チャネル干渉信号を識別するためのツールの適用に関しては、信号のオリジナルセルを識別するフィールドＣｅｌｌ＿ｉｄを用いることが、関心事になり得る。
【００６４】
計測ツールにおける本方法の適用
図２は、計測ツールにおける、本発明による方法の例示的な適用を概略的に示す。
【００６５】
本発明による方法を実施するのに適した受信機は、干渉問題が検出された地点に設備を搬送するために用いられる測定車両に位置している。
【００６６】
この例において、受信機は５つのアンテナを含み、またその目的は、所定の周波数帯域における位置で受信される様々なＤＶＢ−Ｔ送信機を検出し識別することである。この情報を用いて、たとえば、ネットワークを最適化するかまたはそれを規制機関に委ねる。
【００６７】
たとえば、ＵＨＦまたはＶＨＦ帯域のチャネルに関心がある場合がある。たとえば、設備を周波数６２６ＭＨｚ（チャネル４０）に調節することによって、設備は、この周波数で受信されたＤＶＢ−Ｔ信号のリスト、および受信されたＤＶＢ−Ｔ信号のそれぞれに関して次の情報を提供することができる。
−  信号の受信レベル、
−  Ｃ／Ｉ＝信号対干渉比（目的は、少なくとも−２０ｄＢまでのＣ／Ｉ比に対して、ＴＰＳ情報を検出し復調することである）、
−  Ｃｅｌｌ＿ｉｄ（信号のオリジナルセルの識別）、
−  ＤＶＢ−Ｔ信号の構成（モード、ガードインターバル、用いられている変調、符号化率等）。
【図面の簡単な説明】
【００６８】
【図１】マルチセンサ受信機において実行されるステップの流れ図である。
【図２】本発明による方法の例示的な適用例である。
【図１】
0004605797.tif 000051
【図２】
0004605797.tif 000052